(57)【要約】      （修正有）【課題】まつ毛に付着したダマや塗り斑を、道具を持ち替えることなく簡単に梳き整えることができ、かつ、使用感に優れて衛生的な化粧料塗布具を提供する。【解決手段】棒状の軸部材２１と、軸部材２１の先端において、軸部材２１の軸方向と直交する方向に、多数のブラシ毛２２を放射状に突出させてなる塗布部２０と、軸部材２１の後端に連結された保持部３０とからなるマスカラなどの化粧料を塗布するための化粧料塗布具であって、塗布部２０の周囲においてブラシ毛２２の先端から離間されて配置され、軸部材２１の軸方向と平行に延設される払拭部４０と、払拭部４０を保持部３０に連結させ、ブラシ毛２２の先端からの離間状態を維持する支持部４１とを備え、塗布部２０は、化粧料が充填された容器の開口に挿入可能な形状をなし、払拭部４０は、塗布部２０が開口内に挿入された状態において、開口の外縁から離間されている。【選択図】図１
0003202663.tif 000002
【実用新案登録請求の範囲】
【請求項１】
棒状の軸部材と、
前記軸部材の先端において、前記軸部材の軸方向と直交する方向に、多数のブラシ毛を放射状に突出させてなる塗布部と、
前記軸部材の後端に連結された保持部と、
からなるマスカラなどの化粧料を塗布するための化粧料塗布具であって、
前記塗布部の周囲において前記ブラシ毛の先端から離間されて配置され、前記軸部材の軸方向と平行に延設される払拭部と、
前記払拭部を前記保持部に連結させ、前記ブラシ毛の先端からの離間状態を維持する支持部材と
を備え、
前記塗布部は、前記化粧料が充填された容器の開口に挿入可能な形状をなし、
前記払拭部は、前記塗布部が前記開口内に挿入された状態において、前記開口の外縁から離間されている  
ことを特徴とする化粧料塗布具。
【請求項２】
前記払拭部は、前記ブラシ毛先端において、ブラシ毛に対して直交する方向に切り込まれた多数のスリットであることを特徴とする請求項１に記載の化粧料塗布具。
【請求項３】
前記支持部材は、前記保持部から着脱可能となっていることを特徴とする請求項１又は２に記載の化粧料塗布具。
【請求項４】
前記支持部の両側には、前記支持部を拡開するように、且つ前記支持部と一体的に形成されたツマミ部が形成されていることを特徴とする請求項１乃至３のいずれかに記載の化粧料塗布具。
【請求項５】
前記保持部は、前記容器の開口に嵌合されるキャップ体であることを特徴とする請求項１乃至４のいずれかに記載の化粧料塗布具。
【考案の詳細な説明】
【技術分野】
【０００１】
本考案は、マスカラ等の化粧料をまつ毛に塗布するための化粧料塗布具に関する。
【背景技術】
【０００２】
従来より愛用者を増やし、今では欠かせないメイクアイテムとなったものにマスカラがある。比較的簡単に使うことができ、まつ毛の化粧に効果の高いものである。マスカラは粘液質に黒色系などのマスカラ液を混ぜたもので、まつ毛の化粧料として汎用されており、その塗布具合の良し悪しによって、目の魅力や印象を大きく左右させ、目を美しく魅力的に見せることができる。
【０００３】
マスカラを塗布するための塗布具として、２本の金属線間にブラシ材を金属線に対して交差状に挟み、金属線をらせん状に捻ることによりブラシ材を巻き輪間に固定させた形状の塗布用ブラシが広く使用されている。このような構造では、マスカラを収容した容器にブラシを挿入してマスカラに浸し、取り出して容器の口部分で拭き取ることにより、ブラシ材のマスカラ液の付着量が不均一となり、まつ毛に塗布する際にダマになったり、塗り斑ができるといった問題があった。このようなダマや塗り斑に対してはマスカラコームが使用され、ダマを取り除いたり、くっついたまつ毛同士を梳いて好みの形状に整えるのが一般的である。
【０００４】
ところで、マスカラコームを使用する際には、化粧料塗布具によってまつ毛にマスカラを塗布した後、いったん塗布具を収容し、マスカラコームに持ち替えてから使用する必要があるため、使用者にとって煩雑であるという欠点があった。また、持ち替えるまでに時間が長すぎると、マスカラが乾いてしまい、うまく整えられなくなる原因にもなる。このような課題を解決するため、マスカラ塗布具のブラシ部とマスカラコームが一体となった化粧料塗布具が開発されてきた（例えば特許文献１）。
【先行技術文献】
【特許文献】
【０００５】
【特許文献１】特開２００７ー５０１８３号公報
【考案の概要】
【考案が解決しようとする課題】
【０００６】
しかしながら、特許文献１に記載された技術では、マスカラコーム部も一体となってマスカラ容器に収容されるため、マスカラ液がコーム部に付着してしまい、ダマになったマスカラ液を拭き取るには適さない。また、誤って皮膚にマスカラ液を付けてしまう原因にもなり得るし、使用前に逐一拭き取るならばかえって不便になるという欠点があった。
【０００７】
そこで、本考案は、上記のような問題を解決するものであり、まつ毛に付着したダマや塗り斑を、道具を持ち替えることなく簡単に梳き整えることができ、かつ、使用感に優れて衛生的な化粧料塗布具を提供することを目的とする。
【課題を解決するための手段】
【０００８】
上記課題を解決するために、本考案は、棒状の軸部材と、前記軸部材の先端において、前記軸部材の軸方向と直交する方向に、多数のブラシ毛を放射状に突出させてなる塗布部と、前記軸部材の後端に連結された保持部と、からなるマスカラなどの化粧料を塗布するための化粧料塗布具であって、前記塗布部の周囲において前記ブラシ毛の先端から離間されて配置され、前記軸部材の軸方向と平行に延設される払拭部と、前記払拭部を前記保持部に連結させ、前記ブラシ毛の先端からの離間状態を維持する支持部材とを備え、前記塗布部は、前記化粧料が充填された容器の開口に挿入可能な形状をなし、前記払拭部は、前記塗布部が前記開口内に挿入された状態において、前記開口の外縁から離間されていることを特徴とする。
【０００９】
このような考案によれば、マスカラを塗布するための塗布具とまつ毛を整えるための払拭部を一体に構成することができ、道具を持ち替えることなく塗布から整えるまでの作業を一手に行うことができるばかりか、収容時には払拭部を容器に収容せずに塗布部だけを収容することができるため、衛生面でも優れている。
【００１０】
上記考案において、前記払拭部は、前記ブラシ毛先端において、ブラシ毛に対して直交する方向に切り込まれた多数のスリットであることを特徴とすることが好ましい。このような考案によれば、まつ毛に付着したマスカラ液のダマや塗り斑を払拭部にてきれいに拭き取ったり、梳き整えたりすることができるようになる。
【００１１】
上記考案において、前記支持部材は、前記保持部から着脱可能となっていることを特徴とすることが好ましい。このような考案によれば、支持部材のみを取り外して水洗いすることができるし、用途に応じて異なる形状の払拭部を有する支持部材に交換することができるようになる。
【００１２】
上記考案において、前記支持部の両側には、前記支持部を拡開するように、且つ前記支持部と一体的に形成されたツマミ部が形成されていることを特徴とすることが好ましい。このような考案によれば、ツマミ部を保持して化粧を行うことにより、ブラシ部材の近くを保持できるため、化粧の際に手元の安定感が増し、手ぶれ等による失敗を少なくし、よりきめの細かい化粧をすることができるようになる。
【００１３】
上記考案において、前記保持部は、前記容器の開口に嵌合されるキャップ体であることを特徴とすることが好ましい。このような考案によれば、塗布部を容器内に収容して密閉することができるため、マスカラ液の乾燥を防止することができるようになる。
【考案の効果】
【００１４】
以上述べたように、本考案に係る化粧料塗布具によれば、まつ毛に付着したマスカラ液のダマや塗り斑を、別の道具に持ち替えることなく容易に梳き整えることができ、衛生的で使用感に優れた化粧料塗布具を提供することができる。
【図面の簡単な説明】
【００１５】
【図１】本考案に係る化粧料塗布具の正面図および側面図、平面図、底面図である。
【図２】本考案に係る化粧料塗布具の正面図および側面図である。
【考案を実施するための形態】
【００１６】
（化粧料塗布具の構成）
以下に添付図面を参照して、本考案に係る化粧料塗布具の実施形態を詳細に説明する。図１から図２は、本考案に係る化粧料塗布具の実施形態の好ましい一例を示す図である。なお、各図は本考案を十分に理解できる程度に概略的に示してあるに過ぎない。従って、本考案は図示例のみに限定されるものではない。また、参照する図面において、共通する構成要素や同様な構成要素については同一の符号を付し、それらの重複する説明を省略する。図１において、（ａ）は正面図および左右側面図、（ｂ）は平面図および左側面図、（ｃ）は容器部を取り外した状態における正面図である。図２において、（ａ）は容器部装着時における正面図、（ｂ）は容器部装着時における平面図、（ｃ）は容器部を取り外した状態における背面図である。
【００１７】
本実施形態において、本考案の化粧料塗布具１０は、マスカラ等の化粧料を塗布するための塗布具であって、ブラシ毛２２が棒状の軸部材２１の先端に設けられた塗布部２０と、軸部材２１の後端に連結された保持部３０と、軸部材２１の軸方向と平行に延設される払拭部４０と、マスカラ等の化粧料を充填された容器５０とから構成される。
【００１８】
塗布部２０は、マスカラをまつ毛に塗布するためのものであり、軸部材２１の軸方向と直交する方向に多数のブラシ毛２２を放射状に突出させてなる。ブラシ毛２２は仕上がりや使用するマスカラのタイプ別に様々な素材や柔らかさのものを採用し、選択することができる。材質はナイロンなどの任意の素材を用いることができ、断面が中実でも中空でもよい。たとえば、毛質が柔らかくブラシ毛の量が多ければ、まつ毛にブラシ毛がよく絡み、繊細な仕上がりになる。また、マスカラを重ね付けしてボリュームを出す場合には、毛質が硬くブラシ毛の量が少ないものが一般的には好適である。
【００１９】
軸部材２１は、円筒形状の棒状であり、素材としては樹脂、金属あるいは金属製の芯線を用いてブラシ毛を螺旋状などに巻き付けた芯線に固定するような形態をとることができる。また、その他の各種素材を使用することができる。
【００２０】
保持部３０は、使用者が化粧料塗布具１０を使用する際に手指で保持するためのものであり、軸部材２１と連結されている。素材としては樹脂、金属、その他の各種素材を使用することができる。また、その形状や太さについても、使用者がきめの細かい化粧の作業を行うにあたって、保持疲れや手ぶれをすることがないような形状や太さであることが好ましいが、本実施例において図示している円筒状に限定されるものではない。
【００２１】
払拭部４０は、まつ毛に付着したマスカラのダマや塗り斑を拭い取ったり、まつ毛を梳き整えるためのものであり、軸部材２１の軸方向と平行に延設されている。また、使用者がマスカラを塗布する作業と整える作業とを一体して行いやすいように、図１（ｂ）に示すように、払拭部４０の先端が塗布部２０の先端とほぼ同じ位置に配置されることが好ましい。また、図１（ａ）および（ｂ）の側面図に示すように、払拭部４０は、円弧状に塗布部２０の周囲を覆うように、ブラシ毛２２の先端から離間されて配置されている。さらに、払拭部４０は、ブラシ毛２２の先端において、ブラシ毛２２に対して直交する方向に切り込まれた多数のスリットが設けられた櫛状とすることができる。
【００２２】
支持部４１は、払拭部４０を保持部３０に連結させ、ブラシ毛２２の先端からの離間状態を維持するためのものであり、保持部３０から着脱可能となっていることが好ましい。保持部３０との連結部分に比べて、塗布部２０に近づくほどに径が大きくなるテーパー状である。
【００２３】
また、支持部４１と払拭部４０は一体形成されていることが好ましい。その際、払拭部４０の根元部分の両側に切込４３を設け、その両翼をテーパー状に拡開させることによって、ツマミ部４２が一体的に形成される。素材は樹脂等の弾力性のある素材が用いられるため、テーパー状に広がったツマミ部４２は径が自在に調整可能となる。
【００２４】
容器５０は内部にマスカラ液が充填されており、開口５１から塗布部２０を挿入してブラシ毛２２にマスカラ液を浸した状態で収容するものである。このとき、図１（ａ）のように、塗布部２０は開口５１内に挿入された状態において、払拭部４０は開口５１の外縁から離間された状態となる。
【００２５】
また、容器５０の素材、形状、太さについては、保持部３０と同じであれば、デザイン、質感ともに一体感が生じて見栄えが良くなる。このとき、保持部３０が容器５０の開口５１に嵌合されるキャップ体であることが好ましい。
【００２６】
（使用態様）
次いで、上述した化粧料塗布具１０の使用態様について説明する。
従来の塗布具と同じように、化粧料塗布具１０の使用前の状態において、容器５０の開口５１に塗布部２０を挿入することにより、ブラシ毛２２はマスカラに侵漬され、マスカラが付着する。
【００２７】
次いで、マスカラがよく付着した塗布部２０を容器５０から抜き出し、塗布部２０をまつ毛に当てて、まつ毛にマスカラを付着させる。この時、使用者は支持部４１の両側にあるツマミ部４２を手指で保持することによって、塗布部２０の根元部分を的確に保持することができる。また、まつ毛を塗布部２０と払拭部４０とで挟むようにすることで、払拭部４０でまつ毛を固定させながら塗布できるので、まつ毛が塗布部２０に触れられてなびくことによって何度も塗り直さなければならないという手間を省き、一度で確実にまつ毛にマスカラを塗布することができる。
【００２８】
次に、塗布部２０と払拭部４０でまつ毛を挟んだ状態から、払拭部４０の手前側の淵をまつ毛の根元に当てながら、化粧料塗布具１０全体を上向きに回転させる。これによって、まつ毛の根元を払拭部４０で押さえながら、まつ毛を上にカールさせながらマスカラを塗布することができる。
【００２９】
以上の要領でマスカラを塗布した後、まつ毛にダマや塗り斑があった場合は、払拭部４０でまつ毛を梳き整え、最後に、塗布部２０を容器５０の開口５１に挿入し、収容する。
【００３０】
（作用・効果）
このような本実施形態によれば、マスカラを塗布してから、梳き整え、収容するまでの作業を一度も持ち替えることなく、簡便かつ迅速に行うことができる。塗布部２０と払拭部４０とでまつ毛を挟みながらマスカラを塗布することによって、何度も塗り直しすることがなく、一度で確実にマスカラを塗布することができる。また、まつ毛にカールをかけながらマスカラを塗布することが容易にできるため、簡単な方法で、より魅力的な目元を演出することができる。収容時には、塗布部２０を容器５０に収容してマスカラに侵漬させながらも、払拭部４０は容器５０の開口５１よりも径が大きいため、容器５０より外部に離間される。そのため、払拭部４０は乾燥した状態で保管されるため、衛生的に保つこおができる。さらに、使用前にマスカラを拭き取る必要もなく、メイクの際の手間も少なくすることができる。
【００３１】
また、本実施形態によれば、払拭部４０に多数のスリットが設けられることによって、マスカラコームとして使用することができ、ダマや塗り斑があっても、塗布後すぐに道具を持ち替えることなく梳き整えることができるため、道具を持ち替える間にマスカラが乾いてしまってメイクを失敗するということがない。また、本実施形態によれば、支持部４１が着脱可能であることによって、払拭部４０の形状も様々に使い分けることが可能となるし、必要な時だけ装着させるという使用方法もできるようになる。
【００３２】
さらに、本実施形態によれば、支持部４１の両側がツマミ部４２が形成されていれば、使用者は手指でツマミ部４２を保持しながらマスカラを塗布することができる。これによって、塗布部２０から使用者が保持する箇所との距離が短くなり、塗布中の手ぶれを軽減させ、よりきめの細かいメイクをすることができるようになるし、メイクを失敗するという事態を少なくすることもできる。
【００３３】
また、本実施形態によれば、保持部３０と容器５０の開口５１とがキャップ体により嵌合できるため、塗布部２０を容器５０内に収容して密閉することができるため、マスカラ液の乾燥を防止することができるようになる。また、一体的に構成することができるため、デザイン的にも見た目がよくなる。
【符号の説明】
【００３４】
１０…化粧料塗布具
２０…塗布部
２１…軸部材
２２…ブラシ毛
３０…保持部
４０…払拭部
４１…支持部
４３…切込
４２…ツマミ部
５０…容器
５１…開口
【図１】
0003202663.tif 000003
【図２】
0003202663.tif 000004
【手続補正書】
【提出日】平成27年12月10日(2015.12.10)
【手続補正１】
【補正対象書類名】実用新案登録請求の範囲
【補正対象項目名】全文
【補正方法】変更
【補正の内容】
【実用新案登録請求の範囲】
【請求項１】
棒状の軸部材と、
前記軸部材の先端において、前記軸部材の軸方向と直交する方向に、多数のブラシ毛を放射状に突出させてなる塗布部と、
前記軸部材の後端に連結された保持部と、
からなるマスカラなどの化粧料を塗布するための化粧料塗布具であって、
前記塗布部の周囲において前記ブラシ毛の先端から離間されて配置され、前記軸部材の軸方向と平行に延設される払拭部と、
前記払拭部を前記保持部に連結させ、前記ブラシ毛の先端からの離間状態を維持する支持部材と
を備え、
前記塗布部は、前記化粧料が充填された容器の開口に挿入可能な形状をなし、
前記払拭部は、前記塗布部が前記開口内に挿入された状態において、前記開口の外縁から離間されている  
ことを特徴とする化粧料塗布具。
【請求項２】
前記払拭部は、前記ブラシ毛先端において、ブラシ毛に対して直交する方向に切り込まれた多数のスリットであることを特徴とする請求項１に記載の化粧料塗布具。
【請求項３】
前記支持部材は、前記保持部から着脱可能となっていることを特徴とする請求項１又は２に記載の化粧料塗布具。
【請求項４】
前記支持部材の両側には、前記支持部材を拡開するように、且つ前記支持部材と一体的に形成されたツマミ部が形成されていることを特徴とする請求項１乃至３のいずれかに記載の化粧料塗布具。
【請求項５】
前記保持部は、前記容器の開口に嵌合されるキャップ体であることを特徴とする請求項１乃至４のいずれかに記載の化粧料塗布具。
【手続補正２】
【補正対象書類名】明細書
【補正対象項目名】００１２
【補正方法】変更
【補正の内容】
【００１２】
上記考案において、前記支持部材の両側には、前記支持部材を拡開するように、且つ前記支持部材と一体的に形成されたツマミ部が形成されていることを特徴とすることが好ましい。このような考案によれば、ツマミ部を保持して化粧を行うことにより、ブラシ部材の近くを保持できるため、化粧の際に手元の安定感が増し、手ぶれ等による失敗を少なくし、よりきめの細かい化粧をすることができるようになる。
【手続補正３】
【補正対象書類名】明細書
【補正対象項目名】００２２
【補正方法】変更
【補正の内容】
【００２２】
支持部材４１は、払拭部４０を保持部３０に連結させ、ブラシ毛２２の先端からの離間状態を維持するためのものであり、保持部３０から着脱可能となっていることが好ましい。保持部３０との連結部分に比べて、塗布部２０に近づくほどに径が大きくなるテーパー状である。
【手続補正４】
【補正対象書類名】明細書
【補正対象項目名】００２３
【補正方法】変更
【補正の内容】
【００２３】
また、支持部材４１と払拭部４０は一体形成されていることが好ましい。その際、払拭部４０の根元部分の両側に切込４３を設け、その両翼をテーパー状に拡開させることによって、ツマミ部４２が一体的に形成される。素材は樹脂等の弾力性のある素材が用いられるため、テーパー状に広がったツマミ部４２は径が自在に調整可能となる。
【手続補正５】
【補正対象書類名】明細書
【補正対象項目名】００２７
【補正方法】変更
【補正の内容】
【００２７】
次いで、マスカラがよく付着した塗布部２０を容器５０から抜き出し、塗布部２０をまつ毛に当てて、まつ毛にマスカラを付着させる。この時、使用者は支持部材４１の両側にあるツマミ部４２を手指で保持することによって、塗布部２０の根元部分を的確に保持することができる。また、まつ毛を塗布部２０と払拭部４０とで挟むようにすることで、払拭部４０でまつ毛を固定させながら塗布できるので、まつ毛が塗布部２０に触れられてなびくことによって何度も塗り直さなければならないという手間を省き、一度で確実にまつ毛にマスカラを塗布することができる。
【手続補正６】
【補正対象書類名】明細書
【補正対象項目名】００３１
【補正方法】変更
【補正の内容】
【００３１】
また、本実施形態によれば、払拭部４０に多数のスリットが設けられることによって、マスカラコームとして使用することができ、ダマや塗り斑があっても、塗布後すぐに道具を持ち替えることなく梳き整えることができるため、道具を持ち替える間にマスカラが乾いてしまってメイクを失敗するということがない。また、本実施形態によれば、支持部材４１が着脱可能であることによって、払拭部４０の形状も様々に使い分けることが可能となるし、必要な時だけ装着させるという使用方法もできるようになる。
【手続補正７】
【補正対象書類名】明細書
【補正対象項目名】００３２
【補正方法】変更
【補正の内容】
【００３２】
さらに、本実施形態によれば、支持部材４１の両側がツマミ部４２が形成されていれば、使用者は手指でツマミ部４２を保持しながらマスカラを塗布することができる。これによって、塗布部２０から使用者が保持する箇所との距離が短くなり、塗布中の手ぶれを軽減させ、よりきめの細かいメイクをすることができるようになるし、メイクを失敗するという事態を少なくすることもできる。
【手続補正８】
【補正対象書類名】明細書
【補正対象項目名】００３４
【補正方法】変更
【補正の内容】
【００３４】
１０…化粧料塗布具
２０…塗布部
２１…軸部材
２２…ブラシ毛
３０…保持部
４０…払拭部
４１…支持部材
４３…切込
４２…ツマミ部
５０…容器
５１…開口